(57)【特許請求の範囲】
【請求項１】
ネットワーク側装置によって、ユーザ装置（ＵＥ）によって送信された測定レポートを受信し、
前記ネットワーク側装置によって、前記測定レポートから、基準信号受信電力ＲＳＲＰ１及びＲＳＲＰ２を取得し、ここで、前記ＲＳＲＰ１は、前記ＵＥからサービングセルまでのＲＳＲＰであり、前記ＲＳＲＰ２は、前記ＵＥから隣接セルまでのＲＳＲＰであり、
前記ネットワーク側装置によって、前記ＲＳＲＰ１の絶対値と、前記ＲＳＲＰ２の絶対値と、前記ＲＳＲＰ１及び前記ＲＳＲＰ２の値の間の差とに従って、前記ＵＥによって使用されるのに好適な、中央周波数帯域と、エッジ周波数帯域のいずれか一つを含む周波数帯域を判定し、
前記ネットワーク側装置によって、判定の結果に従って、前記ＵＥに、前記判定の前記結果に対応する前記周波数帯域上のリソースを割り当てること
を含み、
前記ネットワーク側装置によって、前記ＲＳＲＰ１の絶対値と、前記ＲＳＲＰ２の絶対値と、前記ＲＳＲＰ１及び前記ＲＳＲＰ２の値の間の差とに従って、前記ＵＥによって使用されるのに好適な周波数帯域を判定することは、
｜ＲＳＲＰ１−ＲＳＲＰ２｜≦Ｔ３、ＲＳＲＰ１＞Ｔ１、及びＲＳＲＰ２＜Ｔ２である場合、前記ＵＥのユーザ属性は、セルエッジユーザであり、前記ＵＥによって使用されるのに好適な前記周波数帯域は、エッジ周波数帯域であると判定することであって、Ｔ１は、第１の予め設定された閾値であり、Ｔ２は、第２の予め設定された閾値であり、Ｔ３は、第３の予め設定された閾値であり、
｜ＲＳＲＰ１−ＲＳＲＰ２｜＞Ｔ３、ＲＳＲＰ１＞Ｔ１、及びＲＳＲＰ２＜Ｔ２である場合、前記ＵＥのユーザ属性は、セル中央ユーザであり、前記ＵＥによって使用されるのに好適な前記周波数帯域は、第１のサブ周波数帯域と、第２のサブ周波数帯域とを含む中央周波数帯域であると判定すること、
ＲＳＲＰ１≦Ｔ１である場合、前記ＵＥのユーザ属性は、低性能ユーザであり、前記ＵＥによって使用されるのに好適な前記周波数帯域は、エッジ周波数帯域であると判定すること、及び、
ＲＳＲＰ２≧Ｔ２である場合、前記ＵＥのユーザ属性は、与干渉ユーザであり、前記ＵＥによって使用されるのに好適な前記周波数帯域は、前記ＵＥの強干渉周波数帯域であると判定することであって、前記ＵＥの隣接セルのエッジ周波数帯域が、前記中央周波数帯域の前記第１のサブ周波数帯域である場合、前記第２のサブ周波数帯域が、前記ＵＥの強干渉周波数帯域であり、前記ＵＥの隣接セルのエッジ周波数帯域が、前記中央周波数帯域の前記第２のサブ周波数帯域である場合、前記第１のサブ周波数帯域が、前記ＵＥの強干渉周波数帯域であること
というケースのうちの１つ、又はこれらの任意の組み合わせを含む、リソース割り当てのための方法。
【請求項２】
前記ＵＥに、前記判定の前記結果に対応する前記周波数帯域上の前記リソースが割り当てられる場合、かつ、前記ＵＥに、前記判定の前記結果に対応する前記周波数帯域上の前記リソースが正常に割り当てられていない、又は、前記ＵＥに割り当てられたリソースブロックが、期待されるリソースブロックの要求を満たさない場合、前記ＵＥに、別の周波数帯域上の前記リソースを割り当てること
を更に含む、請求項１に記載の方法。
【請求項３】
前記ＵＥに、前記判定の前記結果に対応する前記周波数帯域上の前記リソースが正常に割り当てられていない、又は、前記ＵＥに割り当てられたリソースブロックが、期待されるリソースブロックの要求を満たさない場合、前記ＵＥに、別の周波数帯域上の前記リソースを割り当てることは、
ユーザ属性がセルエッジユーザ又は低性能ユーザであるＵＥに、前記エッジ周波数帯域上のリソースが正常に割り当てられていない、又は、前記ＵＥに割り当てられたリソースブロックが、期待されるリソースブロックの要求を満たさない場合、ユーザ属性がセルエッジユーザ又は低性能ユーザである前記ＵＥに、前記中央周波数帯域上の前記リソースを割り当てること、
ユーザ属性がセル中央ユーザであるＵＥに、前記中央周波数帯域上のリソースが正常に割り当てられていない、又は、前記ＵＥに割り当てられたリソースブロックが、期待されるリソースブロックの要求を満たさない場合、ユーザ属性がセル中央ユーザである前記ＵＥに、前記エッジ周波数帯域上の前記リソースを割り当てること、及び、
ユーザ属性が与干渉ユーザであるＵＥに、前記強干渉周波数帯域上のリソースが正常に割り当てられていない、又は、前記ＵＥに割り当てられたリソースブロックが、期待されるリソースブロックの要求を満たさない場合、ユーザ属性が与干渉ユーザである前記ＵＥに、前記エッジ周波数帯域上の前記リソースを割り当てること、
というケースのうちの１つ、又はこれらの任意の組み合わせを含む、請求項２に記載の方法。
【請求項４】
ユーザ属性がセルエッジユーザ又は低性能ユーザである前記ＵＥに、前記中央周波数帯域上の前記リソースを割り当てることは、
現在の伝送時間間隔においてスケジュールされるＭ１ユーザのうちの、ユーザ属性がセル中央ユーザである前記ＵＥの、期待されるＲＢの合計が、第４の閾値未満であると予測される場合、ユーザ属性がセルエッジユーザ又は低性能ユーザである前記ＵＥに、前記中央周波数帯域上の前記リソースを割り当てること
を含み、ユーザ属性がセル中央ユーザである前記ＵＥに、前記エッジ周波数帯域上の前記リソースを割り当てることは、
現在の伝送時間間隔においてスケジュールされるＭ２ユーザのうちの、ユーザ属性が非セル中央ユーザである前記ＵＥの、期待されるＲＢの合計が、第５の閾値未満であると予測される場合、ユーザ属性がセル中央ユーザである前記ＵＥに、前記エッジ周波数帯域上の前記リソースを割り当てること
を含み、ユーザ属性が与干渉ユーザである前記ＵＥに、前記エッジ周波数帯域上の前記リソースを割り当てることは、
現在の伝送時間間隔においてスケジュールされるＭ３ユーザのうちの、ユーザ属性が非セル中央ユーザである前記ＵＥの、期待されるＲＢの合計が、第６の閾値未満であると予測される場合、ユーザ属性が与干渉ユーザである前記ＵＥに、前記エッジ周波数帯域上の前記リソースを割り当てること
を含む、請求項３に記載の方法。
【請求項５】
ユーザ装置（ＵＥ）によって送信された測定レポートを受信するように構成された、受信モジュールと、
前記受信モジュールによって受信された前記測定レポートから、基準信号受信電力ＲＳＲＰ１及びＲＳＲＰ２を取得するように構成された、取得モジュールであって、前記ＲＳＲＰ１は、前記ＵＥからサービングセルまでのＲＳＲＰであり、前記ＲＳＲＰ２は、前記ＵＥから隣接セルまでのＲＳＲＰである、前記取得モジュールと、
前記ＲＳＲＰ１の絶対値と、前記ＲＳＲＰ２の絶対値と、前記ＲＳＲＰ１及び前記ＲＳＲＰ２の値の間の差とに従って、前記ＵＥによって使用されるのに好適な周波数帯域を判定するように構成された、判定モジュールであって、前記ＲＳＲＰ１の前記絶対値、前記ＲＳＲＰ２の前記絶対値、並びに、前記ＲＳＲＰ１及び前記ＲＳＲＰ２の前記値の間の前記差は、前記取得モジュールによって取得され、前記周波数帯域は、中央周波数帯域と、エッジ周波数帯域のいずれか一つを含む、前記判定モジュールと、
前記判定モジュールによって判定された結果に従って、前記ＵＥに、判定の前記結果に対応する前記周波数帯域上のリソースを割り当てるように構成された、第１の割り当てモジュールと
を備え、前記判定モジュールは、
｜ＲＳＲＰ１−ＲＳＲＰ２｜≦Ｔ３、ＲＳＲＰ１＞Ｔ１、及びＲＳＲＰ２＜Ｔ２である場合、前記ＵＥのユーザ属性は、セルエッジユーザであり、前記ＵＥによって使用されるのに好適な前記周波数帯域は、エッジ周波数帯域であると判定するように構成された、第１の判定ユニットであって、Ｔ１は、第１の予め設定された閾値であり、Ｔ２は、第２の予め設定された閾値であり、Ｔ３は、第３の予め設定された閾値である、前記第１の判定ユニットと、
｜ＲＳＲＰ１−ＲＳＲＰ２｜＞Ｔ３、ＲＳＲＰ１＞Ｔ１、及びＲＳＲＰ２＜Ｔ２である場合、前記ＵＥのユーザ属性は、セル中央ユーザであり、前記ＵＥによって使用されるのに好適な前記周波数帯域は、第１のサブ周波数帯域と、第２のサブ周波数帯域とを含む中央周波数帯域であると判定するように構成された、第２の判定ユニットと、
ＲＳＲＰ１≦Ｔ１である場合、前記ＵＥのユーザ属性は、低性能ユーザであり、前記ＵＥによって使用されるのに好適な前記周波数帯域は、エッジ周波数帯域であると判定するように構成された、第３の判定ユニットと、
ＲＳＲＰ２≧Ｔ２である場合、前記ＵＥのユーザ属性は、与干渉ユーザであり、前記ＵＥによって使用されるのに好適な前記周波数帯域は、前記ＵＥの強干渉周波数帯域であると判定するように構成された、第４の判定ユニットであって、前記ＵＥの隣接セルのエッジ周波数帯域が、前記中央周波数帯域の前記第１のサブ周波数帯域である場合、前記第２のサブ周波数帯域が、前記ＵＥの強干渉周波数帯域であり、前記ＵＥの隣接セルのエッジ周波数帯域が、前記中央周波数帯域の前記第２のサブ周波数帯域である場合、前記第１のサブ周波数帯域が、前記ＵＥの強干渉周波数帯域である、前記第４の判定ユニットと、
のうちの任意の１つ以上を備える、リソース割り当てのための装置。
【請求項６】
前記ＵＥに、前記判定の前記結果に対応する前記周波数帯域上の前記リソースが割り当てられる場合、かつ、前記ＵＥに、前記判定の前記結果に対応する前記周波数帯域上の前記リソースが正常に割り当てられていない、又は、前記ＵＥに割り当てられたリソースブロックが、期待されるリソースブロックの要求を満たさない場合、前記ＵＥに、別の周波数帯域上の前記リソースを割り当てるように構成された、第２の割り当てモジュール
を更に備える、請求項５に記載の装置。
【請求項７】
前記第２の割り当てモジュールは、
ユーザ属性がセルエッジユーザ又は低性能ユーザであるＵＥに、前記エッジ周波数帯域上のリソースが正常に割り当てられていない、又は、前記ＵＥに割り当てられたリソースブロックが、期待されるリソースブロックの要求を満たさない場合、ユーザ属性がセルエッジユーザ又は低性能ユーザである前記ＵＥに、前記中央周波数帯域上の前記リソースを割り当てるように構成された、第１の割り当てユニットと、
ユーザ属性がセル中央ユーザであるＵＥに、前記中央周波数帯域上のリソースが正常に割り当てられていない、又は、前記ＵＥに割り当てられたリソースブロックが、期待されるリソースブロックの要求を満たさない場合、ユーザ属性がセル中央ユーザである前記ＵＥに、前記エッジ周波数帯域上の前記リソースを割り当てるように構成された、第２の割り当てユニットと、
ユーザ属性が与干渉ユーザであるＵＥに、前記強干渉周波数帯域上のリソースが正常に割り当てられていない、又は、前記ＵＥに割り当てられたリソースブロックが、期待されるリソースブロックの要求を満たさない場合、ユーザ属性が与干渉ユーザである前記ＵＥに、前記エッジ周波数帯域上の前記リソースを割り当てるように構成された、第３の割り当てユニットと
のうちの任意の１つ以上を備える、請求項６に記載の装置。
【請求項８】
前記第１の割り当てユニットは、ユーザ属性がセルエッジユーザ又は低性能ユーザである前記ＵＥに、前記エッジ周波数帯域上の前記リソースが正常に割り当てられていない、又は、前記ＵＥに割り当てられた前記リソースブロックが、前記期待されるリソースブロックの前記要求を満たさない場合、かつ、現在の伝送時間間隔においてスケジュールされるＭ１ユーザのうちの、ユーザ属性がセル中央ユーザである前記ＵＥの、期待されるＲＢの合計が、第４の閾値未満であると予測される場合、ユーザ属性がセルエッジユーザ又は低性能ユーザである前記ＵＥに、前記中央周波数帯域上の前記リソースを割り当てるように特に構成され、
前記第２の割り当てユニットは、ユーザ属性がセル中央ユーザである前記ＵＥに、前記中央周波数帯域上の前記リソースが正常に割り当てられていない、又は、前記ＵＥに割り当てられた前記リソースブロックが、前記期待されるリソースブロックの前記要求を満たさない場合、かつ、現在の伝送時間間隔においてスケジュールされるＭ２ユーザのうちの、ユーザ属性が非セル中央ユーザである前記ＵＥの、期待されるＲＢの合計が、第５の閾値未満であると予測される場合、ユーザ属性がセル中央ユーザである前記ＵＥに、前記エッジ周波数帯域上の前記リソースを割り当てるように特に構成され、
前記第３の割り当てユニットは、ユーザ属性が与干渉ユーザである前記ＵＥに、前記強干渉周波数帯域上の前記リソースが正常に割り当てられていない、又は、前記ＵＥに割り当てられた前記リソースブロックが、前記期待されるリソースブロックの前記要求を満たさない場合、かつ、現在の伝送時間間隔においてスケジュールされるＭ３ユーザのうちの、ユーザ属性が非セル中央ユーザである前記ＵＥの、期待されるＲＢの合計が、第６の閾値未満であると予測される場合、ユーザ属性が与干渉ユーザである前記ＵＥに、前記エッジ周波数帯域上の前記リソースを割り当てるように特に構成される、
請求項７に記載の装置。
【請求項９】
請求項５〜８のいずれか一項に記載の、リソース割り当てのための前記装置を備える、基地局。
【発明の詳細な説明】
【技術分野】
【０００１】
本発明の実施形態は、通信技術の分野に関し、特に、リソース割り当てのための方法、装置、及び基地局に関する。
【背景技術】
【０００２】
現在、３ＧＰＰによって推進される第４世代モバイル通信標準ＬＴＥ（Ｌｏｎｇ  ｔｅｒｍ  ｅｖｏｌｕｔｉｏｎ、ロングタームエボリューション）は、その優れた特徴（高ピークレート、高スペクトル効率、及び低遅延など）のため、世界中の大多数の事業者の支持を得ている。ＬＴＥは、その多元アクセスモードとしてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数分割多元アクセス）を使用して、非常に高いスペクトル効率を得る。しかし、ＬＴＥ周波数内ネットワーク（ｉｎｔｒａ−ｆｒｅｑｕｅｎｃｙ  ｎｅｔｗｏｒｋ）上では、セル間干渉が、ＬＴＥの性能に悪影響を及ぼす主な要因となる。セル間干渉を制御するために、ＩＣＩＣ（ｉｎｔｅｒ−ｃｅｌｌ  ｉｎｔｅｒｆｅｒｅｎｃｅ  ｃｏｏｒｄｉｎａｔｉｏｎ、セル間干渉調整）技術がＬＴＥシステム内で使用されて、セル間干渉が管理される。ＩＣＩＣでは、時間領域リソース、又は周波数領域リソースの直交性が、各セル内のセルエッジユーザ（ここで、セルエッジユーザの、隣接セルとの干渉は比較的強い）について実行され、これにより、セルエッジユーザの干渉を回避し、性能を向上させるという目的が達成される。
【０００３】
既存の上りリンクＩＣＩＣ技術では、ソフト周波数再利用（ｓｏｆｔ  ｆｒｅｑｕｅｎｃｙ  ｒｅｕｓｅ、略称：ＳＦＲ）技術が主として使用される。しかし、既存のＳＦＲベースのリソース割り当て方法を使用することによって、セルの、低いカバレッジ性能が発生する。
【発明の概要】
【発明が解決しようとする課題】
【０００４】
本発明の実施形態は、セルのカバレッジ性能を向上させるための、リソース割り当てのための方法、装置、及び基地局を提供する。
【課題を解決するための手段】
【０００５】
本発明の一実施形態は、
ネットワーク側装置によって、ＵＥによって送信された測定レポートを受信し、
ネットワーク側装置によって、測定レポートから、ＵＥからサービングセルまでのＲＳＲＰであるＲＳＲＰ１及びＵＥから隣接セルまでのＲＳＲＰであるＲＳＲＰ２を取得し、  ネットワーク側装置によって、ＲＳＲＰ１の絶対値と、ＲＳＲＰ２の絶対値と、ＲＳＲＰ１及びＲＳＲＰ２の値の間の差とに従って、ＵＥによって使用されるのに好適な、中央周波数帯域と、エッジ周波数帯域とを含む周波数帯域を判定し、
ネットワーク側装置によって、判定の結果に従って、ＵＥに、判定の結果に対応する周波数帯域上のリソースを割り当てることを含む、リソース割り当てのための方法を提供する。
【０００６】
本発明の一実施形態は、
ＵＥによって送信された測定レポートを受信するように構成された、受信モジュールと、
受信モジュールによって受信された測定レポートから、ＵＥからサービングセルまでのＲＳＲＰであるＲＳＲＰ１及びＵＥから隣接セルまでのＲＳＲＰであるＲＳＲＰ２を取得するように構成された、取得モジュールと、
ＲＳＲＰ１の絶対値と、ＲＳＲＰ２の絶対値と、ＲＳＲＰ１及びＲＳＲＰ２の値の間の差とに従って、ＵＥによって使用されるのに好適な周波数帯域を判定するように構成された、判定モジュールであって、ＲＳＲＰ１の絶対値、ＲＳＲＰ２の絶対値、並びに、ＲＳＲＰ１及びＲＳＲＰ２の値の間の差は、取得モジュールによって取得され、周波数帯域は、中央周波数帯域と、エッジ周波数帯域とを含むように構成された、判定モジュールと、
判定モジュールによって判定された結果に従って、ＵＥに、判定の結果に対応する周波数帯域上のリソースを割り当てるように構成された、第１の割り当てモジュールとを含む、リソース割り当てのための装置を提供する。
【０００７】
本発明の一実施形態は、本発明の実施形態で提供される、リソース割り当てのための装置のうちの任意の１つを含む、基地局を提供する。
【発明の効果】
【０００８】
本発明の実施形態における、リソース割り当てのための方法、装置、及び基地局を使用して、ネットワーク側装置は、ＲＳＲＰ１の絶対値と、ＲＳＲＰ２の絶対値と、ＲＳＲＰ１及びＲＳＲＰ２の値の間の差とに従って、ＵＥによって使用されるのに好適な周波数帯域を判定し、判定の結果に従って、ＵＥに、判定の結果に対応する周波数帯域上のリソースを割り当てる。本発明の実施形態では、ネットワーク側装置は、ＲＳＲＰ１及びＲＳＲＰ２の値の間の差のみに従ってではなく、ＲＳＲＰ１の絶対値、及びＲＳＲＰ２の絶対値にも従って、ＵＥによって使用されるのに好適な周波数帯域を判定し、ＵＥに、好適な周波数帯域上のリソースを割り当て、これにより、セルのカバレッジ性能が向上させられることが可能である。
【図面の簡単な説明】
【０００９】
本発明の実施形態における技術的解決法をより明確に説明するために、以下では、実施形態について説明するために必要とされる添付の図面について簡単に紹介する。明らかに、以下の説明における添付の図面は、本発明のいくつかの実施形態を示すものにすぎず、当業者は、これらの添付の図面から、創造的な活動を行うことなく、その他の図面を更に導き出すことが可能である。
【００１０】
【図１】本発明の実施形態による、リソース割り当てのための方法のフローチャートである。
【図２】本発明の別の実施形態による、リソース割り当てのための方法のフローチャートである。
【図３】図２に示す実施形態における、ユーザ属性の分類の概略図である。
【図４】図２に示す実施形態における、周波数帯域の分割の概略図である。
【図５Ａ】本発明の更に別の実施形態による、リソース割り当てのための方法のフローチャートである。
【図５Ｂ】本発明の更に別の実施形態による、リソース割り当てのための方法のフローチャートである。
【図６】本発明の実施形態による、リソース割り当てのための装置の概略図である。
【図７】本発明の別の実施形態による、リソース割り当てのための装置の概略図である。
【発明を実施するための形態】
【００１１】
本発明の実施形態の目的、技術的解決法、及び利点をより理解しやすくするために、以下では、本発明の実施形態における技術的解決法について、本発明の実施形態における添付の図面を参照して、明確かつ完全に説明する。明らかに、説明される実施形態は、本発明の実施形態の全てではなく、一部にすぎない。当業者によって、本発明の実施形態に基づいて、創造的な活動を行くことなく取得される全てのその他の実施形態は、本発明の保護範囲内に入る。
【００１２】
図１は、本発明の一実施形態による、リソース割り当てのための方法のフローチャートである。図１に示すように、この方法は以下を含む。
【００１３】
ステップ１０１：ネットワーク側装置は、ユーザ機器（Ｕｓｅｒ  Ｅｑｕｉｐｍｅｎｔ、以下ＵＥと記載する）によって送信された測定レポートを受信する。
【００１４】
本発明の各実施形態は、ＬＴＥシステムに適用されてもよい。例えば、この実施形態におけるネットワーク側装置は、基地局であってもよい。
【００１５】
基地局が始動した後、基地局は、基地局にアクセスするＵＥに対して、Ａ３測定イベントを設定する。ＵＥが、Ａ３測定イベントを報告するための条件を満たす場合、ＵＥは、測定レポートを介して、測定結果を、基地局に報告する。
【００１６】
ステップ１０２：ネットワーク側装置は、測定レポートから、ＲＳＲＰ１及びＲＳＲＰ２を取得し、ここで、ＲＳＲＰ１は、ＵＥからサービングセルまでのＲＳＲＰであり、ＲＳＲＰ２は、ＵＥから隣接セルまでのＲＳＲＰであり、ＲＳＲＰ（正式名称：Ｒｅｆｅｒｅｎｃｅ  ｓｉｇｎａｌ  ｒｅｃｅｉｖｅｄ  ｐｏｗｅｒ）は、基準信号受信電力である。
【００１７】
ネットワーク側装置（例えば、基地局）は、ＵＥによって報告された、受信された測定レポートから、ＲＳＲＰ１及びＲＥＲＰ２を取得してもよい。具体的には、ＲＳＲＰ２は、ＵＥから最強隣接セルまでのＲＳＲＰであってもよく、ここで、最強隣接セルは、サービングセルに隣接する、かつ、そのＲＳＲＰ値が最も大きいセルである。ＵＥから各隣接セルまでのＲＳＲＰ値に従って、どの隣接セルが最強隣接セルであるかが取得されてもよい。ＵＥから最強隣接セルまでのＲＳＲＰは、ＵＥから別の隣接セルまでのＲＳＲＰより大きい。
【００１８】
ステップ１０３：ネットワーク側装置は、ＲＳＲＰ１の絶対値と、ＲＳＲＰ２の絶対値と、ＲＳＲＰ１及びＲＳＲＰ２の値の間の差とに従って、ＵＥによって使用されるのに好適な周波数帯域を判定し、ここで、周波数帯域は、中央周波数帯域と、エッジ周波数帯域とを含む。
【００１９】
ネットワーク側装置（例えば、基地局）は、ＳＦＲ技術を使用してもよい。ソフト周波数再利用（ｓｏｆｔ  ｆｒｅｑｕｅｎｃｙ  ｒｅｕｓｅ、略称：ＳＦＲ）技術は、全周波数帯域を中央周波数帯域とエッジ周波数帯域とに分割する技術である。具体的には、サービングセルの全周波数帯域は、３つのサブ周波数帯域に分割されてもよく、ここで、１つのサブ周波数帯域は、エッジ周波数帯域であり、他の２つのサブ周波数帯域は、中央周波数帯域である。サービングセルの中央周波数帯域の、１つのサブ周波数帯域は、隣接セルのエッジ周波数帯域である。隣接セルの間のエッジ周波数帯域モードが、ネットワークプランニング又は自動設定ツールを介して設定されてもよく、従って、隣接セルのエッジ周波数帯域の間の競合は発生しない。セルのカバレッジ性能を向上させるために、いくつかのＵＥにとっては、エッジ周波数帯域を使用するのが好適であり、いくつかのＵＥにとっては、中央周波数帯域を使用するのが好適である。例えば、基地局は、セル内のユーザを、セルエッジユーザ（Ｃｅｌｌ  ｅｄｇｅ  ｕｓｅｒ、略称：ＣＥＵ）及びセル中央ユーザ（Ｃｅｌｌ  ｃｅｎｔｅｒ  ｕｓｅｒ、略称：ＣＣＵ）として識別する。リソースを割り当てる場合、ｅＮＢは、エッジ周波数帯域上のリソースを、ＣＥＵに優先的に割り当て、中央周波数帯域上のリソースを、ＣＣＵに優先的に割り当て、これにより、隣接セルとＣＥＵとの強い干渉が回避され、ＣＥＵの性能が向上させられるという目的が達成される。
【００２０】
この実施形態では、基地局は、特定のＵＥのＲＳＲＰ１の絶対値及びＲＳＲＰ２の絶対値と、ＲＳＲＰ１及びＲＳＲＰ２の値の間の差とに従って、どの周波数帯域がＵＥによって使用されるのに好適であるかを判定してもよく、すなわち、どの周波数帯域がＵＥに割り当てられるのに好適であるかを判定してもよい。従来技術では、ＵＥは、ＲＳＲＰ１及びＲＳＲＰ２の値の間の差のみに従って、セルエッジユーザ、及びセル中央ユーザに分類され、次に、エッジ周波数帯域が、セルエッジユーザに割り当てられ、中央周波数帯域が、セル中央ユーザに割り当てられる。しかし、この実施形態では、どの周波数帯域がＵＥに割り当てられるのに好適であるかが判定される場合、ＲＳＲＰ１及びＲＳＲＰ２の値の間の差に加えて、ＲＳＲＰ１の絶対値、及びＲＳＲＰ２の絶対値も考慮される。例えば、特定のＵＥについて、｜ＲＳＲＰ１−ＲＳＲＰ２｜≦Ｔ３、ＲＳＲＰ１＞Ｔ１、及びＲＳＲＰ２＜Ｔ２である場合、エッジ周波数帯域が、ＵＥによって使用されるのに好適であると判定され、特定のＵＥについて、｜ＲＳＲＰ１−ＲＳＲＰ２｜＞Ｔ３、ＲＳＲＰ１＞Ｔ１、及びＲＳＲＰ２＜Ｔ２である場合、中央周波数帯域が、ＵＥによって使用されるのに好適であると判定され、ここで、Ｔ１、Ｔ２、及びＴ３は、３つの予め設定された閾値である。
【００２１】
ステップ１０４：ネットワーク側装置は、判定の結果に従って、ＵＥに、判定の結果に対応する周波数帯域上のリソースを割り当てる。
【００２２】
ＵＥによって使用されるのに好適な周波数帯域を判定した後、ネットワーク側装置（例えば、基地局）は、ＵＥに、ＵＥによって使用されるのに好適な周波数帯域上のリソースを割り当てる。
【００２３】
本発明のこの実施形態では、ネットワーク側装置は、ＲＳＲＰ１及びＲＳＲＰ２の値の間の差のみに従ってではなく、ＲＳＲＰ１の絶対値、及びＲＳＲＰ２の絶対値にも従って、ＵＥによって使用されるのに好適な周波数帯域を判定し、ＵＥに、好適な周波数帯域上のリソースを割り当て、これにより、セルのカバレッジ性能が向上させられることが可能である。
【００２４】
図２は、本発明の別の実施形態による、リソース割り当てのための方法のフローチャートである。図２に示すように、この方法は以下を含む。
【００２５】
ステップ２０１：基地局は、ＵＥによって送信された測定レポートを受信する。
【００２６】
基地局が始動した後、基地局は、基地局にアクセスするＵＥに対して、Ａ３測定イベントを設定する。ＵＥが、Ａ３測定イベントを報告するための条件を満たす場合、ＵＥは、測定レポートを介して、測定結果を、基地局に報告する。
【００２７】
ステップ２０２：基地局は、受信された測定レポートが、サービングセルのＲＳＲＰのみを含むかどうかを判定する。ｙｅｓの場合、ステップ２０３を実行し、ｎｏの場合、ステップ２０４を実行する。
【００２８】
具体的には、基地局が、ＵＥによって報告されたＡ３測定レポートを受信した後、Ａ３測定レポートが、サービングセルのＲＳＲＰのみを含むと判定された場合、ステップ２０３が実行され、Ａ３測定レポートが、サービングセルのＲＳＲＰと、隣接セルのＲＳＲＰとを含むと判定された場合、ステップ２０４が実行される。
【００２９】
ステップ２０３：基地局は、ＵＥのユーザ属性が、セル中央ユーザであると判定し、次に、ステップ２０５ｂを実行する。
【００３０】
ステップ２０４：基地局は、ＲＳＲＰ１の絶対値と、ＲＳＲＰ２の絶対値と、ＲＳＲＰ１及びＲＳＲＰ２の値の間の差とに従って、ＵＥのユーザ属性を判定し、ＵＥのユーザ属性に従って、使用されるのに好適な周波数帯域を判定する。具体的には、ステップ２０４は、ステップ２０４ａ、ステップ２０４ｂ、ステップ２０４ｃ、及びステップ２０４ｄのうちの任意の１つ以上を含んでもよい。
【００３１】
ステップ２０４ａ：｜ＲＳＲＰ１−ＲＳＲＰ２｜≦Ｔ３、ＲＳＲＰ１＞Ｔ１、及びＲＳＲＰ２＜Ｔ２である場合、ＵＥのユーザ属性は、セルエッジユーザであり、ＵＥによって使用されるのに好適な周波数帯域は、エッジ周波数帯域であると判定する。
【００３２】
ステップ２０４ｂ：｜ＲＳＲＰ１−ＲＳＲＰ２｜＞Ｔ３、ＲＳＲＰ１＞Ｔ１、及びＲＳＲＰ２＜Ｔ２である場合、ＵＥのユーザ属性は、セル中央ユーザであり、ＵＥによって使用されるのに好適な周波数帯域は、中央周波数帯域であると判定し、ここで、中央周波数帯域は、第１のサブ周波数帯域と、第２のサブ周波数帯域とを含む。
【００３３】
ステップ２０４ｃ：ＲＳＲＰ２≧Ｔ２である場合、ＵＥのユーザ属性は、与干渉ユーザであり、ＵＥによって使用されるのに好適な周波数帯域は、強干渉周波数帯域であると判定する。
【００３４】
ステップ２０４ｄ：ＲＳＲＰ１≦Ｔ１である場合、ＵＥのユーザ属性は、低性能ユーザであり、ＵＥによって使用されるのに好適な周波数帯域は、エッジ周波数帯域であると判定する。
【００３５】
Ｔ１は、第１の予め設定された閾値であり、Ｔ２は、第２の予め設定された閾値であり、Ｔ３は、第３の予め設定された閾値である。Ｔ１はＴ２より小さく、Ｔ１は、ＵＥの性能を測定するために使用され、Ｔ２は、ＵＥの干渉を測定するために使用される。
【００３６】
本明細書に記載されるセルエッジユーザ及びセル中央ユーザは、それぞれ、ステップ２０４ａ及びステップ２０４ｂに記載される条件を満たすＵＥを意味し、これらは、従来技術における、ＲＳＲＰの差のみに従って取得されるセルエッジユーザ及びセル中央ユーザとは異なる、ということに留意されたい。加えて、ステップ２０４ａ、２０４ｂ、２０４ｃ、及び２０４ｄにおいて、ユーザ属性は、セルエッジユーザ、セル中央ユーザ、与干渉ユーザ、及び低性能ユーザに分類される。しかし、特定の実施手法では、ユーザ属性は、セルエッジユーザ、セル中央ユーザ、与干渉ユーザ、及び低性能ユーザのうちの１つ又はいくつかのタイプに分類されてもよく、すなわち、ステップ２０４ａ、２０４ｂ、２０４ｃ、及び２０４ｄのうちの１つ又はいくつかのステップが実行され、あるいは、ユーザ属性は、セルエッジユーザ、セル中央ユーザ、与干渉ユーザ、及び低性能ユーザという４つのタイプに分類されてもよく、すなわち、全てのＵＥのユーザ属性は、前述の４つのタイプに分類される。図３に示すように、図３は、図２に示す実施形態における、ユーザ属性の分類の概略図である。図３に示すように、ＵＥのユーザ属性は、セルエッジユーザ（ＣＥＵ）、セル中央ユーザ（ＣＣＵ）、与干渉ユーザ（Ｉｎｔｅｒｆｅｒｅｎｃｅ  ｃａｕｓｉｎｇ  ｕｓｅｒ、略称：ＩＣＵ）、低性能ユーザ（Ｐｏｏｒ  ｐｅｒｆｏｒｍａｎｃｅ  ｕｓｅｒ、略称：ＰＰＵ）という４つのタイプに分類される。
【００３７】
基地局が、ステップ２０４ａ、２０４ｂ、２０４ｃ、及び２０４ｄに記載された条件に従って、ＵＥのユーザ属性を判定する場合の、基地局がＵＥのユーザ属性を判定する特定のプロセスは、この実施形態では限定されない、ということに留意されたい。例えば、基地局は、最初に、｜ＲＳＲＰ１−ＲＳＲＰ２｜をＴ３と比較することによって、ＵＥがＣＥＵであるかＣＣＵであるかを判定し、次に、ＲＳＲＰ１をＴ１と比較することによって、ＵＥがＰＰＵであるかどうかを判定し、ＵＥがＰＰＵである場合、ＵＥのユーザ属性を変更し、ＵＥがＰＰＵではない場合、ＲＳＲＰ２をＴ２と比較することによって、ＵＥがＩＣＵであるかどうかを判定し、ＵＥがＩＣＵである場合、ＵＥのユーザ属性を変更してもよい。別の例では、基地局は、最初に、ＲＳＲＰ１をＴ１と比較することによって、又は、ＲＳＲＰ２をＴ２と比較することによって、ＵＥがＰＰＵ又はＩＣＵであるかどうかを判定し、次に、ＵＥがＰＰＵ又はＩＣＵではない場合、｜ＲＳＲＰ１−ＲＳＲＰ２｜をＴ３と比較することによって、ＵＥがＣＥＵであるかＣＣＵであるかを判定してもよい。
【００３８】
以下では、ステップ２０４ｃにおける強干渉周波数帯域について説明する。図４は、図２に示す実施形態で説明される、周波数帯域の分割の概略図である。図４に示すように、サービングセルの周波数帯域は、エッジ周波数帯域（サブ周波数帯域０）と、中央周波数帯域とに分割され、ここで、中央周波数帯域は、第１のサブ周波数帯域（サブ周波数帯域１）と、第２のサブ周波数帯域（サブ周波数帯域２）とを含む。基地局は、特定のＵＥの最強隣接セルのエッジ周波数帯域を取得してもよい。ＵＥの最強隣接セルのエッジ周波数帯域が、中央周波数帯域の第１のサブ周波数帯域である場合、第２のサブ周波数帯域が、ＵＥの強干渉周波数帯域である。ＵＥの最強隣接セルのエッジ周波数帯域が、中央周波数帯域の第２のサブ周波数帯域である場合、第１のサブ周波数帯域が、ＵＥの強干渉周波数帯域である。すなわち、最強隣接セルのエッジ周波数帯域が、サービングセルの中央周波数帯域の、一方のサブ周波数帯域である場合、サービングセルの中央周波数帯域の、他方のサブ周波数帯域が、ＵＥの強干渉周波数帯域として採用される。強干渉周波数帯域は、ＵＥの中央周波数帯域であり、ここで、この中央周波数帯域は、ＵＥの最強隣接セルのエッジ周波数帯域ではない。強干渉周波数帯域は、ユーザレベルにおけるものである。
【００３９】
ステップ２０５：基地局は、ＵＥに、ＵＥによって使用されるのに好適な周波数帯域上のリソースを割り当てる。
【００４０】
具体的には、ステップ２０５は、ステップ２０５ａ、ステップ２０５ｂ、及びステップ２０５ｃを含んでもよい。
【００４１】
ステップ２０５ａ：ＵＥのユーザ属性が、セルエッジユーザ又は低性能ユーザである場合、ＵＥに、エッジ周波数帯域上のリソースを割り当て、手順を終了する、すなわち、ステップ２０４ａ又はステップ２０４ｄの後に、ステップ２０５ａを実行する。ステップ２０５ｂ：ＵＥのユーザ属性が、セル中央ユーザである場合、ＵＥに、中央周波数帯域上のリソースを割り当て、手順を終了する、すなわち、ステップ２０４ｂの後に、ステップ２０５ｂを実行する。ステップ２０５ｃ：ＵＥのユーザ属性が、与干渉ユーザである場合、ＵＥに、強干渉周波数帯域上のリソースを割り当て、手順を終了する、すなわち、ステップ２０４ｃの後に、ステップ２０５ｃを実行する。このように、リソース割り当ては、一側面では、与干渉ユーザによって発生させられる、隣接セルのセルエッジＵＥへの強い干渉を回避するということであり、別の側面では、エッジ周波数帯域上のできるだけ多くのリソースを、セルエッジユーザ又は低性能ユーザのために確保するということである。
【００４２】
従来技術では、ＵＥは、ＲＳＲＰの差のみに従って、ＣＥＵ又はＣＣＵに分類される。従来技術では、いくつかの場合、ＣＣＵと判定されたＵＥについて、ＵＥから隣接セルまでのパスロスが比較的小さいため、隣接セルとの干渉は比較的大きい可能性があり、他の場合、ＣＣＵと判定されたＵＥについて、ＵＥがシャドウ又は深いフェージングを受け、ＵＥの性能が比較的低いため、ＵＥが中央周波数帯域（その干渉レベルは比較的高い）を割り当てられた場合、ＵＥの性能は比較的低くなる可能性がある。本発明のこの実施形態では、ＵＥは、ＣＥＵ又はＣＣＵに分類されてもよく、加えて、ＵＥは、ＵＥから隣接セルまでのパスロスと、ＵＥの性能とに従って、更に分類されてもよく、ＵＥの分類に従って、ＵＥにリソースが再割り当てされる。従って、従来技術における問題が解決される。
【００４３】
本発明のこの実施形態における各閾値は、基地局によって予め設定されてもよいということに留意されたい。特定の設定規則は、ネットワークプランニング、セル内のユーザの総数、及びシステム帯域幅などの要因に従って、総合的に考慮されてもよい。
【００４４】
本発明のこの実施形態では、基地局は、ＲＳＲＰ１及びＲＳＲＰ２の値の間の差と、ＲＳＲＰ１及びＲＳＲＰ２の値とに基づいて、ユーザ属性を分類してもよく、基地局は、サービングセル内の周波数帯域を、中央周波数帯域と、エッジ周波数帯域とに分割してもよく、中央周波数帯域から、強干渉周波数帯域を更に分割してもよく、その上、基地局は、ＵＥのユーザ属性に従って、中央周波数帯域、エッジ周波数帯域、及び強干渉周波数帯域から、好適な周波数帯域を選択して、ＵＥにリソースを割り当て、すなわち、基地局は、新たに分類されたユーザ属性に従って、ＵＥにリソースを適応的に割り当て、これにより、セルのカバレッジ性能が向上させられることが可能である。
【００４５】
図５Ａ及び図５Ｂは、本発明の更に別の実施形態による、リソース割り当てのための方法のフローチャートである。図５Ａ及び図５Ｂに示すように、図４に示す実施形態に基づいて、この方法は以下のステップを更に含んでもよい。
【００４６】
ステップ２０５ａの後、ステップ２０６ａが実行される。ステップ２０６ａ：基地局は、ＵＥにリソースが正常に割り当てられたかどうかを判定する。ｙｅｓの場合、ステップ２０７ａを実行し、ｎｏの場合、ステップ２０８ａを実行する。
【００４７】
ステップ２０７ａ：基地局は、ＵＥに割り当てられたＲＢ（ｒｅｓｏｕｒｃｅ  ｂｌｏｃｋ、リソースブロック）が、期待されるＲＢの要求を満たすかどうかを判定する。ｙｅｓの場合、手順を終了し、ｎｏの場合、ステップ２０８ａを実行する。
【００４８】
ステップ２０８ａ：基地局は、現在のＴＴＩ（Ｔｒａｎｓｍｉｓｓｉｏｎ  Ｔｉｍｅ  Ｉｎｔｅｒｖａｌ、伝送時間間隔）においてスケジュールされるＭ１ユーザのうちの、ＣＣＵの期待されるＲＢの合計が、第４の予め設定された閾値未満であるかどうかを判定及び予測する。ｙｅｓの場合、ステップ２０９ａを実行し、ｎｏの場合、手順を終了する。
【００４９】
ステップ２０９ａ：基地局は、ユーザ属性がＣＥＵ又はＰＰＵと判定されたＵＥに、中央周波数帯域上のリソースを割り当て、次に、手順は終了する。
【００５０】
別の実施手法では、ステップ２０８ａは含まれなくてもよい。ステップ２０６ａで、ＵＥにリソースが正常に割り当てられていない場合、ステップ２０９ａが直接実行され、ステップ２０７ａで、ＵＥに割り当てられたＲＢが、期待されるＲＢを満たさない場合、ステップ２０９ａが直接実行される。すなわち、ユーザ属性がＣＥＵ又はＰＰＵであるＵＥについて、ＵＥに、エッジ周波数帯域上のリソースが正常に割り当てられていない、又は、基地局によってＵＥに割り当てられたＲＢが、期待されるＲＢを満たさない場合、違反スケジューリングがデフォルトで許可されてもよく、すなわち、ユーザ属性がＣＥＵ又はＰＰＵであるＵＥに、中央周波数帯域上のリソースが割り当てられる。
【００５１】
ステップ２０５ｂの後、ステップ２０６ｂが実行される。ステップ２０６ｂ：基地局は、ＵＥにリソースが正常に割り当てられたかどうかを判定する。ｙｅｓの場合、ステップ２０７ｂを実行し、ｎｏの場合、ステップ２０８ｂを実行する。
【００５２】
ステップ２０７ｂ：基地局は、ＵＥに割り当てられたＲＢが、期待されるＲＢの要求を満たすかどうかを判定する。ｙｅｓの場合、手順を終了し、ｎｏの場合、ステップ２０８ｂを実行する。
【００５３】
ステップ２０８ｂ：基地局は、現在のＴＴＩにおいてスケジュールされるＭ２ユーザのうちの、非ＣＣＵの期待されるＲＢの合計が、第５の予め設定された閾値未満であるかどうかを判定及び予測する。ｙｅｓの場合、ステップ２０９ｂを実行し、ｎｏの場合、手順を終了する。
【００５４】
ステップ２０９ｂ：基地局は、ユーザ属性がＣＣＵであるＵＥに、エッジ周波数帯域上のリソースを割り当て、次に、手順は終了する。
【００５５】
別の実施手法では、ステップ２０８ｂは含まれなくてもよい。ステップ２０６ｂで、ＵＥにリソースが正常に割り当てられていない場合、ステップ２０９ｂが直接実行され、ステップ２０７ｂで、ＵＥに割り当てられたＲＢが、期待されるＲＢを満たさない場合、ステップ２０９ｂが直接実行される。すなわち、ユーザ属性がＣＣＵであるＵＥについて、ＵＥに、中央周波数帯域上のリソースが正常に割り当てられていない、又は、基地局によってＵＥに割り当てられたＲＢが、期待されるＲＢを満たさない場合、違反スケジューリングがデフォルトで許可されてもよく、すなわち、ユーザ属性がＣＣＵであるＵＥに、エッジ周波数帯域上のリソースが割り当てられる。
【００５６】
ステップ２０５ｃの後、ステップ２０６ｃが実行される。
【００５７】
ステップ２０６ｃ：基地局は、ＵＥにリソースが正常に割り当てられたかどうかを判定する。ｙｅｓの場合、ステップ２０７ｃを実行し、ｎｏの場合、ステップ２０８ｃを実行する。
【００５８】
ステップ２０７ｃ：基地局は、ＵＥに割り当てられたＲＢが、期待されるＲＢの要求を満たすかどうかを判定する。ｙｅｓの場合、手順を終了し、ｎｏの場合、ステップ２０８ｃを実行する。
【００５９】
ステップ２０８ｃ：基地局は、現在のＴＴＩにおいてスケジュールされるＭ３ユーザのうちの、非ＣＣＵユーザの期待されるＲＢの合計が、第６の予め設定された閾値未満であるかどうかを判定する。ｙｅｓの場合、ステップ２０９ｃを実行し、ｎｏの場合、手順を終了する。
【００６０】
ステップ２０９ｃ：基地局は、ユーザ属性がＩＣＵと判定されたＵＥに、エッジ周波数帯域上のリソースを割り当て、次に、手順は終了する。
【００６１】
別の実施手法では、ステップ２０８ｃは含まれなくてもよい。ステップ２０６ｃで、ＵＥにリソースが正常に割り当てられていない場合、ステップ２０９ｃが直接実行され、ステップ２０７ｃで、ＵＥに割り当てられたＲＢが、期待されるＲＢを満たさない場合、ステップ２０９ｃが直接実行される。すなわち、ユーザ属性がＩＣＵであるＵＥについて、ＵＥに、強干渉周波数帯域上のリソースが正常に割り当てられていない、又は、基地局によってＵＥに割り当てられたＲＢが、期待されるＲＢを満たさない場合、違反スケジューリングがデフォルトで許可されてもよく、すなわち、ユーザ属性がＩＣＵであるＵＥに、エッジ周波数帯域上のリソースが割り当てられる。
【００６２】
ステップ２０８ａが含まれず、しかしステップ２０８ｂ及びステップ２０８ｃは含まれる実施手法では、ユーザ属性がＣＥＵ及びＰＰＵであるＵＥの帯域幅要求が十分に保護されることが可能である。
【００６３】
すなわち、この実施形態では、ＵＥに、判定の結果に対応する周波数帯域上のリソースが割り当てられる場合、かつ、ＵＥに、判定の結果に対応する周波数帯域上のリソースが正常に割り当てられていない、又は、ＵＥに割り当てられたＲＢが、期待されるＲＢの要求を満たさない場合、ＵＥに、別の周波数帯域上のリソースが割り当てられる。
【００６４】
図２に示す実施形態で説明された利点に加えて、本発明のこの実施形態では、既存の上りリンクＩＣＩＣ技術に基づいて、ユーザ属性が、ＵＥによって測定及び報告されたＲＳＲＰの絶対値に従って更に判定され、ユーザは４つのタイプに分類され、ここで、ＣＣＵ及びＣＥＵに加えて、ユーザは、ＩＣＵ及びＰＰＵに更に分類される。ユーザ属性は、ＲＳＲＰの絶対値に従って判定される。このようにして、ユーザに関する情報が、より正確に判定されることが可能であり、後続のＩＣＩＣベースのリソース割り当てのための良好な基礎が提供される。加えて、本発明のこの実施形態では、期待されるＲＢの予測に基づく、リソース割り当てのための方法が提案される。期待されるＲＢの予測に基づく、リソース割り当てのための方法によれば、ＣＥＵ及びＰＰＵが重要なユーザに設定され、それらの帯域幅要求が保護される、すなわち、期待されるＲＢの予測を介して、現在スケジュールされているＣＣＵ又はＩＣＵのためのリソース割り当てが、ＣＥＵ及びＰＰＵの、周波数帯域に関する要求の抑制を発生させるかどうかが判定されてもよく、ＣＥＵ及びＰＰＵの、周波数帯域に関する要求が抑制される場合、エッジ周波数帯域上のリソースが、現在のユーザに割り当てられることは許可されず、反対の場合、エッジ周波数帯域上のリソースが、現在のユーザに割り当てられることが許可される。このようにして、ＣＥＵ及びＰＰＵの性能が十分に保証され、同時に、ＣＥＵ及びＰＰＵの、周波数帯域に関する要求が比較的低い場合、エッジ周波数帯域上のリソースがユーザに割り当てられることが許可され、従って、セルの平均スループットは悪影響を及ぼされない。
【００６５】
当業者は、前述の方法実施形態のステップの全て又は一部が、関連するハードウェアに指示するプログラムによって実施されてもよいということを理解するであろう。前述のプログラムは、コンピュータ読み取り可能な記憶媒体内に記憶されてもよい。プログラムが実行される場合、前述の方法実施形態のステップが実行される。前述の記憶媒体は、ＲＯＭ、ＲＡＭ、磁気ディスク、又は光ディスクなどの、プログラムコードを記憶することが可能な任意の媒体であってもよい。
【００６６】
図６は、本発明の一実施形態による、リソース割り当てのための装置の概略図である。図６に示すように、この装置は、受信モジュール６１と、取得モジュール６３と、判定モジュール６５と、第１の割り当てモジュール６７とを含む。
【００６７】
受信モジュール６１は、ＵＥによって送信された測定レポートを受信するように構成される。
【００６８】
取得モジュール６３は、受信モジュール６１によって受信された測定レポートから、ＲＳＲＰ１及びＲＳＲＰ２を取得するように構成され、ここで、ＲＳＲＰ１は、ＵＥからサービングセルまでのＲＳＲＰであり、ＲＳＲＰ２は、ＵＥから隣接セルまでのＲＳＲＰである。
【００６９】
判定モジュール６５は、ＲＳＲＰ１の絶対値と、ＲＳＲＰ２の絶対値と、ＲＳＲＰ１及びＲＳＲＰ２の値の間の差とに従って、ＵＥによって使用されるのに好適な周波数帯域を判定するように構成され、ここで、ＲＳＲＰ１の絶対値、ＲＳＲＰ２の絶対値、並びに、ＲＳＲＰ１及びＲＳＲＰ２の値の間の差は、取得モジュール６３によって取得され、周波数帯域は、中央周波数帯域と、エッジ周波数帯域とを含む。
【００７０】
第１の割り当てモジュール６７は、判定モジュール６５によって判定された結果に従って、ＵＥに、判定の結果に対応する周波数帯域上のリソースを割り当てるように構成される。
【００７１】
この実施形態で提供される、リソース割り当てのための装置は、前述のネットワーク側装置内に含まれ、図１に示す方法実施形態を実施するように構成される。この実施形態における各モジュールの動作手順及び動作原理については、図１に示す前述の方法実施形態における説明を参照されたい（これについては、ここで再び説明することはしない）。
【００７２】
本発明のこの実施形態では、リソース割り当てのための装置は、ＲＳＲＰ１及びＲＳＲＰ２の値の間の差のみに従ってではなく、ＲＳＲＰ１の絶対値、及びＲＳＲＰ２の絶対値にも従って、ＵＥによって使用されるのに好適な周波数帯域を判定し、ＵＥに、好適な周波数帯域上のリソースを割り当て、これにより、セルのカバレッジ性能が向上させられることが可能である。
【００７３】
図７は、本発明の別の実施形態による、リソース割り当てのための装置の概略図である。図７に示すように、図６に示す実施形態に基づいて、
判定モジュール６５は、第１の判定ユニット６５１、第２の判定ユニット６５３、第３の判定ユニット６５５、及び第４の判定ユニット６５７のうちの任意の１つ以上を含む。
【００７４】
第１の判定ユニット６５１は、｜ＲＳＲＰ１−ＲＳＲＰ２｜≦Ｔ３、ＲＳＲＰ１＞Ｔ１、及びＲＳＲＰ２＜Ｔ２である場合、ＵＥのユーザ属性は、セルエッジユーザであり、ＵＥによって使用されるのに好適な周波数帯域は、エッジ周波数帯域であると判定するように構成され、ここで、Ｔ１は、第１の予め設定された閾値であり、Ｔ２は、第２の予め設定された閾値であり、Ｔ３は、第３の予め設定された閾値である。
【００７５】
第２の判定ユニット６５３は、｜ＲＳＲＰ１−ＲＳＲＰ２｜＞Ｔ３、ＲＳＲＰ１＞Ｔ１、及びＲＳＲＰ２＜Ｔ２である場合、ＵＥのユーザ属性は、セル中央ユーザであり、ＵＥによって使用されるのに好適な周波数帯域は、中央周波数帯域であると判定するように構成され、ここで、中央周波数帯域は、第１のサブ周波数帯域と、第２のサブ周波数帯域とを含む。
【００７６】
第３の判定ユニット６５５は、ＲＳＲＰ１≦Ｔ１である場合、ＵＥのユーザ属性は、低性能ユーザであり、ＵＥによって使用されるのに好適な周波数帯域は、エッジ周波数帯域であると判定するように構成される。
【００７７】
第４の判定ユニット６５７は、ＲＳＲＰ２≧Ｔ２である場合、ＵＥのユーザ属性は、与干渉ユーザであり、ＵＥによって使用されるのに好適な周波数帯域は、ＵＥの強干渉周波数帯域であると判定するように構成される。ＵＥの隣接セルのエッジ周波数帯域が、中央周波数帯域の第１のサブ周波数帯域である場合、第２のサブ周波数帯域が、ＵＥの強干渉周波数帯域であり、ＵＥの隣接セルのエッジ周波数帯域が、中央周波数帯域の第２のサブ周波数帯域である場合、第１のサブ周波数帯域が、ＵＥの強干渉周波数帯域である。
【００７８】
更に、リソース割り当てのための装置は、第２の割り当てモジュール６９を更に含んでもよい。
【００７９】
第２の割り当てモジュール６９は、ＵＥに、判定の結果に対応する周波数帯域上のリソースが割り当てられる場合、かつ、ＵＥに、判定の結果に対応する周波数帯域上のリソースが正常に割り当てられていない、又は、ＵＥに割り当てられたリソースブロックが、期待されるリソースブロックの要求を満たさない場合、ＵＥに、別の周波数帯域上のリソースを割り当てるように構成される。
【００８０】
具体的には、第２の割り当てモジュール６９は、第１の割り当てユニット６９１、第２の割り当てユニット６９３、及び第３の割り当てユニット６９５のうちの任意の１つ以上を含んでもよい。
【００８１】
第１の割り当てユニット６９１は、ユーザ属性がセルエッジユーザ又は低性能ユーザであるＵＥに、エッジ周波数帯域上のリソースが正常に割り当てられていない、又は、ＵＥに割り当てられたリソースブロックが、期待されるリソースブロックの要求を満たさない場合、ユーザ属性がセルエッジユーザ又は低性能ユーザであるＵＥに、中央周波数帯域上のリソースを割り当てるように構成される。
【００８２】
第２の割り当てユニット６９３は、ユーザ属性がセル中央ユーザであるＵＥに、中央周波数帯域上のリソースが正常に割り当てられていない、又は、ＵＥに割り当てられたリソースブロックが、期待されるリソースブロックの要求を満たさない場合、ユーザ属性がセル中央ユーザであるＵＥに、エッジ周波数帯域上のリソースを割り当てるように構成される。
【００８３】
第３の割り当てユニット６９５は、ユーザ属性が与干渉ユーザであるＵＥに、強干渉周波数帯域上のリソースが正常に割り当てられていない、又は、ＵＥに割り当てられたリソースブロックが、期待されるリソースブロックの要求を満たさない場合、ユーザ属性が与干渉ユーザであるＵＥに、エッジ周波数帯域上のリソースを割り当てるように構成される。
【００８４】
更に、第１の割り当てユニット６９１は、ユーザ属性がセルエッジユーザ又は低性能ユーザであるＵＥに、エッジ周波数帯域上のリソースが正常に割り当てられていない、又は、ＵＥに割り当てられたリソースブロックが、期待されるリソースブロックの要求を満たさない場合、かつ、現在の伝送時間間隔においてスケジュールされるＭ１ユーザのうちの、ユーザ属性がセル中央ユーザであるＵＥの、期待されるＲＢの合計が、第４の閾値未満であると予測される場合、ユーザ属性がセルエッジユーザ又は低性能ユーザであるＵＥに、中央周波数帯域上のリソースを割り当てるように特に構成されてもよい。
【００８５】
第２の割り当てユニット６９３は、ユーザ属性がセル中央ユーザであるＵＥに、中央周波数帯域上のリソースが正常に割り当てられていない、又は、ＵＥに割り当てられたリソースブロックが、期待されるリソースブロックの要求を満たさない場合、かつ、現在の伝送時間間隔においてスケジュールされるＭ２ユーザのうちの、ユーザ属性が非セル中央ユーザであるＵＥの、期待されるＲＢの合計が、第５の閾値未満であると予測される場合、ユーザ属性がセル中央ユーザであるＵＥに、エッジ周波数帯域上のリソースを割り当てるように特に構成されてもよい。
【００８６】
第３の割り当てユニット６９５は、ユーザ属性が与干渉ユーザであるＵＥに、強干渉周波数帯域上のリソースが正常に割り当てられていない、又は、ＵＥに割り当てられたリソースブロックが、期待されるリソースブロックの要求を満たさない場合、かつ、現在の伝送時間間隔においてスケジュールされるＭ３ユーザのうちの、ユーザ属性が非セル中央ユーザであるＵＥの、期待されるＲＢの合計が、第６の閾値未満であると予測される場合、ユーザ属性が与干渉ユーザであるＵＥに、エッジ周波数帯域上のリソースを割り当てるように特に構成されてもよい。
【００８７】
この実施形態で提供される、リソース割り当てのための装置は、前述のネットワーク側装置内に含まれ、図１〜図５Ａ及び図５Ｂに示す方法実施形態を実施するように構成される。この実施形態における各モジュールの動作手順及び動作原理については、図１〜図５Ａ及び図５Ｂに示す前述の方法実施形態における説明を参照されたい（これについては、ここで再び説明することはしない）。
【００８８】
本発明のこの実施形態では、リソース割り当てのための装置は、ＲＳＲＰ１及びＲＳＲＰ２の値の間の差と、ＲＳＲＰ１及びＲＳＲＰ２の値とに基づいて、ユーザ属性を分類してもよく、リソース割り当てのための装置は、サービングセル内の周波数帯域を、中央周波数帯域と、エッジ周波数帯域とに分割してもよく、中央周波数帯域から、強干渉周波数帯域を更に分割してもよく、その上、リソース割り当てのための装置は、ＵＥのユーザ属性に従って、中央周波数帯域、エッジ周波数帯域、及び強干渉周波数帯域から、好適な周波数帯域を選択して、ＵＥにリソースを割り当て、すなわち、基地局は、新たに分類されたユーザ属性に従って、ＵＥにリソースを適応的に割り当て、これにより、セルのカバレッジ性能が向上させられることが可能である。加えて、本発明のこの実施形態における、リソース割り当てのための装置は、期待されるＲＢの予測に基づいてリソース割り当てを実行してもよい。
【００８９】
本発明の一実施形態は、基地局を更に提供し、ここで、基地局は、本発明の実施形態で提供される、リソース割り当てのための装置のうちの任意の１つを含む。
【００９０】
この実施形態で提供される基地局は、前述のネットワーク側装置と同等であり、図１〜図５Ａ及び図５Ｂに示す方法実施形態を実施するように構成される。この実施形態における基地局の動作手順及び動作原理については、図１〜図５Ａ及び図５Ｂに示す前述の方法実施形態における説明を参照されたい（これについては、ここで再び説明することはしない）。
【００９１】
本発明のこの実施形態では、基地局は、ＲＳＲＰ１及びＲＳＲＰ２の値の間の差のみに従ってではなく、ＲＳＲＰ１の絶対値、及びＲＳＲＰ２の絶対値にも従って、ＵＥによって使用されるのに好適な周波数帯域を判定し、ＵＥに、好適な周波数帯域上のリソースを割り当て、これにより、セルのカバレッジ性能が向上させられることが可能である。
【００９２】
最後に、前述の実施形態は、本発明を限定することではなく、本発明の技術的解決法について説明することを意図するものにすぎない、ということに留意されたい。本発明について前述の実施形態を参照して詳細に説明したが、当業者は、前述の実施形態で説明された技術的解決法に対して更に修正を行うこと、又は、そのいくつかの技術的特徴に対して等価な置換を行うことが可能であり、しかし、それらの修正又は置換は、対応する技術的解決法の本質を、本発明の実施形態における技術的解決法の精神及び範囲から逸脱させるものではない、ということを理解するであろう。
【図１】
0005758048.tif 000002
【図２】
0005758048.tif 000003
【図３】
0005758048.tif 000004
【図４】
0005758048.tif 000005
【図５Ａ】
0005758048.tif 000006
【図５Ｂ】
0005758048.tif 000007
【図６】
0005758048.tif 000008
【図７】
0005758048.tif 000009